(57)【特許請求の範囲】
【請求項１】
土台に取付けるのに使用される取付部と、該取付部の下端から前方へ屈曲されて形成された雨水案内部と、該雨水案内部の先端から下方へ屈曲されて形成された前垂れ部とを少なくとも含む長尺の水切り材において、
前記取付部の前方面には、前記水切り材を土台に取付けるための釘が打付けられる釘打ち領域と、前記釘打ち領域の下方において前記水切り材の長手方向に配置された両面テープとが備えられている、水切り材。
【請求項２】
さらに、別の両面テープが前記水切り材の長手方向に配置されており、
前記釘打ち領域は、前記両面テープと前記別の両面テープとの間に位置している請求項１に記載の水切り材。
【請求項３】
前記両面テープには、複数の貫通孔が前記両面テープに沿って形成されており、
前記両面テープの前記貫通孔が前記釘打ち領域を形成している、請求項１に記載の水切り材。
【請求項４】
前記貫通孔の形状は、円形、三角形、正方形、六角形、長方形および長円形から選択される請求項３に記載の水切り材。
【請求項５】
さらに、前記両面テープに貼付けられる通気用シートを前記両面テープに沿って切断するための指標が備えられている請求項１から４のいずれか一項に記載の水切り材。
【請求項６】
前記指標は、前記取付部の前記前方面に印刷された印刷線、前記前方面に形成された凸部、前記前方面に形成された凹部および前記前方面と前記雨水案内部との間に形成された段部から選択される請求項５に記載の水切り材。
【発明の詳細な説明】
【技術分野】
【０００１】
本発明は、建物の外装板の下端などに取付けられる水切り材に関する。
【背景技術】
【０００２】
従来から、建物の外装板を伝って流下してきた雨水を外方に導いて滴下させるために、種々の形態の水切り材が提案されている。例えば特許文献１においては、本体と基体との二部材から構成されていて、本体を基体の複数箇所に選択的に固定できるようにした水切り材が開示されている。さらに、特許文献２においては、防鼠および防虫のための通気板が着脱自在に設けられた水切り材が開示されている。さらに、特許文献３には、透湿シートを貼付けるための粘着テープ（両面テープ）が上端に沿って配置された水切り材が開示されている。
【特許文献１】特開２００２−２０６２８８号公報
【特許文献２】特開２００２−２０６２８９号公報
【特許文献３】特許第３７４９９００号明細書
【発明の開示】
【発明が解決しようとする課題】
【０００３】
典型的な水切り材は一枚の金属板を折曲げ加工することにより形成されている。図１０（ａ）から図１１（ｂ）は従来技術における水切り材を土台に取付ける状態を示す図である。図１０（ａ）に示されるように、コンクリート基礎５４０の上面には、基礎パッキン５５０が載置されており、さらにその上には、木製の土台５６０が載置されている。土台５６０は、図示しないアンカーボルトにナットを螺合させて緊縮されている。
【０００４】
また、図示されるように、水切り材５１０は、土台５６０に水切り材５１０を取付けるのに用いられる取付部５１２と、取付部５１２の下端から前方へ屈曲されて形成された雨水案内部５１４と、雨水案内部５１４の先端から下方へ屈曲されて形成された前垂れ部５１６と、前垂れ部５１６の下端に設けられた底面部５１８とを含んでいる。さらに、水切り材５１０の取付部５１２には、離型紙３１０を備えた両面テープ３００が貼付けられている。図から分かるように、この両面テープ３００は水切り材５１０の上端部５２２に沿って貼付けられている。
【０００５】
次いで、図１０（ｂ）に示されるように、水切り材５１０の取付部５１２を釘５７０で打付けることにより、水切り材５１０は土台５６０の外面に固定される。次いで、図１１（ａ）に示されるように、両面テープ３００の離型紙３１０を剥離する。その後、図１１（ｂ）に示されるように、透湿テープ６５０を両面テープ３００の露出した粘着面に貼付ける。
【０００６】
しかしながら、釘５７０を用いて水切り材５１０を土台５６０に固定した後においては、両面テープ３００の離型紙３１０を円滑に剥離するのが困難である。このため、離型紙３１０が途中で破断し、度々その破断端縁を爪で引っかけて離型紙３１０を摘む部分を捲り上げる必要がある。また、このように苦労して離型紙３１０の全部を剥したとしても、図１１（ａ）に示されるように、離型紙３１０が釘５７０の頭部周りに部分的に残る場合がある。そのように残存した離型紙３１０付近においては、両面テープ３００の貼付力が部分的に弱くなり、透湿シート６５０がこの部分から剥離する事態が生じうる。
【０００７】
また、離型紙３１０を残存することなしに剥離できた場合であっても、釘５７０の頭部に対応する透湿シート６５０の一部分は単に釘５７０の頭部に接触しているだけであり、両面テープ３００に固定されているわけではない。従って、この部分からも透湿シート６５０が剥離される可能性がある。
【０００８】
本発明はこのような事情に鑑みてなされたものであり、両面テープの離型紙を円滑に剥離すると共にシートを両面テープにより堅固に固定することのできる水切り材を提供することを目的とする。
【課題を解決するための手段】
【０００９】
前述した目的を達成するために１番目の発明によれば、土台に取付けるのに使用される取付部と、該取付部の下端から前方へ屈曲されて形成された雨水案内部と、該雨水案内部の先端から下方へ屈曲されて形成された前垂れ部とを少なくとも含む長尺の水切り材において、前記取付部の前方面には、前記水切り材を土台に取付けるための釘が打付けられる釘打ち領域と、前記釘打ち領域の下方において前記水切り材の長手方向に配置された両面テープとが備えられている、水切り材が提供される。
【００１０】
すなわち１番目の発明においては、釘打ち領域を両面テープの箇所とは別個に設けているので、釘の頭部が障害物となることなしに、両面テープの離型紙を剥離することができる。また、両面テープ自体に直接的に釘を打付ける必要はないので、シートを両面テープによって堅固に固定することができる。
【００１１】
２番目の発明によれば、１番目の発明において、さらに、別の両面テープが前記水切り材の長手方向に配置されており、前記釘打ち領域は、前記両面テープと前記別の両面テープとの間に位置している。
すなわち２番目の発明においては、外気に含まれる湿気が施工後に土台と外装材との間に流入する可能性をさらに低下させられる。
【００１２】
３番目の発明によれば、１番目の発明において、前記両面テープには、複数の貫通孔が前記両面テープに沿って形成されており、前記両面テープの前記貫通孔が前記釘打ち領域を形成している。
４番目の発明によれば、３番目の発明において、前記貫通孔の形状は、円形、三角形、正方形、六角形、長方形および長円形から選択される。
すなわち３番目または４番目の発明においては、取付部の寸法が比較的小さい場合であっても、釘打ち領域を確保することができる。なお、貫通孔は釘の頭部よりも十分に大きく、離型紙の剥離時に離型紙が釘の頭部によって残存することはない。また、貫通孔の形状が他の多角形であってもよい。
【００１３】
５番目の発明によれば、１番目から４番目のいずれかの発明において、さらに、前記両面テープに貼付けられる通気用シートを前記両面テープに沿って切断するための指標が備えられている。
６番目の発明によれば、５番目の発明において、前記指標は、前記取付部の前記前方面に印刷された印刷線、前記前方面に形成された凸部、前記前方面に形成された凹部および前記前方面と前記雨水案内部との間に形成された段部から選択される。
すなわち５番目または６番目の発明においては、作業者が指標に基づいてシートを両面テープに沿って良好に切断することができる。また、指標として印刷線を採用した場合には、水切り材の形状が複雑になるのを防止して、水切り材を容易に作成できる。なお。他の指標を採用するようにしてもよい。
【発明を実施するための最良の形態】
【００１４】
以下、添付図面を参照して本発明の実施形態を説明する。以下の図面において同様の部材には同様の参照符号が付けられている。理解を容易にするために、これら図面は縮尺を適宜変更している。
図１は、本発明の第一の実施形態に係る水切り材の斜視図である。水切り材１０はガルバリウム鋼板（登録商標）（以下、単に「鋼板」ともいう）から構成されている。水切り材１０は、水切り材を土台に取付けるのに使用される取付部１２と、取付部１２の下端から前方へ屈曲されて形成された雨水案内部１４と、雨水案内部１４の先端から下方へ屈曲されて形成された前垂れ部１６と、前垂れ部１６の下端に設けられた底面部１８とを含んでいる。図１に示されるように、前垂れ部１６と底面部１８との間には、前垂れ部１６に沿って延びる突起１９が形成されている。この突起１９は雨水をさらに下方に案内する役目を果たす。
【００１５】
図から分かるように、底面部１８には、防鼠または防虫に適した寸法の複数の通気孔２６が形成されている。また、底面部１８の切断部２８は、内側に向けられて折返し処理されている。なお、取付部１２の上方端部２２に対して同様な処理が施されていてもよい（図２（ａ）等を参照されたい）。また、取付部１２の上方端部２２を覆うようにホットメルト接着剤による樹脂皮膜層を形成することにより、取扱い時に取付部１２の上方端部２２により手を切ったりする怪我を防止するようにしても良い。
【００１６】
なお、本発明においては、水切り材の材質は鋼板に限定されず、鉄板、ステンレス鋼板等の鉄合金板、銅板、銅合金板、アルミニウム板、アルミニウム合金板、チタン板、チタン合金板等の各種の金属板を採用することができる。
【００１７】
図１に示されるように、取付部１２の前方面には、釘打ち領域３６が上方端部２２に隣接して上方端部２２全体に沿って設けられている。釘打ち領域３６は取付部１２の一部分であり、取付部１２を土台６０（図１には示さない）に取付けるための複数の釘が打付けられる場所である。図１に示される釘打ち領域３６おいては、円形の印が釘が打付けられる場所に印刷されている。なお、釘打ち領域３６におけるこれら円形の印は必ずしも必要でないことに注意されたい。
【００１８】
釘打ち領域３６の下方には、両面テープ３０が釘打ち領域３６に隣接して配置されている。図示されるように、両面テープ３０は水切り材１０の長手方向に沿って配置されている。作業者が両面テープ３０を取付部１２から区別するのを容易にするために、両面テープ３０の離型紙３１は取付部１２とは異なる色であるのが好ましい。
【００１９】
さらに、両面テープ３０の下方には、両面テープ３０に隣接して指標３５が設けられている。この指標３５は、作業者が透湿シート４５（図１には示さない）を切断する目印としての役目を果たす。図１に示される実施形態においては、指標３５は、レーザプリンタ等で印刷された印刷線であり、この場合には鋼板を折曲げ加工することなしに、指標３５を容易に形成することができる。
【００２０】
水切り材の略側面図である図２（ｂ）から図２（ｄ）には、他の指標３５が示されている。例えば図２（ｂ）においては、指標３５は、取付部１２と雨水案内部１４との間に形成された段差部である。また、図２（ｃ）においては、指標３５は、取付部１２の前方面において水切り材１０の長手方向に延びる凸部である。図２（ｄ）においては、指標３５は、取付部１２の前方面において水切り材１０の長手方向に延びる凹部である。図２（ｂ）から図２（ｄ）に示される指標３５を形成する場合には、水切り材１０の作成時に鋼板を折曲げ加工するのが好ましい。なお、単純にする目的で、図２（ａ）から図２（ｄ）に示される水切り材１０には両面テープ３０を示していないことに注意されたい。
【００２１】
図３（ａ）から図５（ｂ）のそれぞれは、本発明の第一の実施形態に基づく水切り材の取付方法を説明するための側面図である。理解を容易にする目的で、これら図面においては、凸部としての指標３５が表されている。以下、これら図面を参照して、水切り材１０を土台６０に取付ける取付方法について説明する。
【００２２】
図３（ａ）に示されるように、コンクリート基礎４０の上面には、基礎パッキン５０が載置されており、さらにその上には、土台６０が載置されている。土台６０は、図示しないアンカーボルトにナットを螺合させて緊縮されている。そして、図３（ａ）に示されるように、水切り材１０の取付部１２の後方面を土台６０の表面に押当てる。
【００２３】
次いで、図３（ｂ）に示されるように、釘７０を取付部１２の釘打ち領域３６に打付ける。このとき、図１に示されるような円形の印の箇所に釘７０をそれぞれ打付けるのが好ましい。これにより、水切り材１０が土台６０の表面に固定されるようになる。次いで、図４（ａ）に示されるように、両面テープ３０の離型紙３１を剥離して、両面テープ３０の粘着面を露出させる。本発明においては釘７０は釘打ち領域３６においてのみ打付けられていて、両面テープ３０には打付けられていない。このため、本発明においては、離型紙３１が釘７０周りで部分的に残存することなしに、両面テープ３０の離型紙３１を極めて円滑に剥離することが可能である。
【００２４】
その後、図４（ｂ）に示されるように、透湿シート４５を土台６０の表面および水切り材１０の取付部１２上に位置決めする。次いで、図５（ａ）から分かるように、透湿シート４５を取付部１２に押付ける。ここで、透湿シート４５は、通気壁工法の際に壁の内側に貼付けられる通気用のシートである。次いで、作業者はカッタなどの切断工具により透湿シート４５を切断する。切断時に生じた切断片４５ａは廃棄される。
【００２５】
透湿シート４５の切断時には、作業者は、取付部１２の指標３５、例えば凸部に沿ってカッタを押付けて切断するのが好ましい。この場合には、作業者は指標３５に基づいて透湿シート４５を良好に切断することが可能になる。これにより、透湿シート４５の下方端部は取付部１２の指標３５に整列することになり、施工後における透湿シート４５の美観を高めることも可能となる。なお、他の指標３５、例えば凹部、段部または印刷線であっても、同様な効果が得られるのは明らかであろう。
【００２６】
透湿シート４５は、図５（ｂ）に示されるように土台６０の表面および水切り材１０の取付部１２に貼付けられるようになる。本発明においては、両面テープ３０の粘着面の領域には釘７０が打付けられていないので、透湿シート４５を両面テープ３０全体に均等な貼付力で貼付けることが可能である。従って、貼付後に透湿シート４５が両面テープ３０から剥離される可能性も大幅に低下させられる。最終的に、図５（ｂ）に示されるように、外装材８０を透湿シート４５に隣接して配置する。
【００２７】
このように本発明においては、両面テープ３０の箇所とは別個に、釘打ち領域３６を取付部１２に設けている。従って、前述したように釘７０の頭部が障害物となることなしに、両面テープ３０の離型紙３１を円滑に剥離することが可能である。さらに、本発明においては、両面テープ３０に直接的に釘７０を打付ける必要はないので、透湿シート４５が釘７０の箇所から剥離するような事態にはならない。つまり、本発明においては、透湿シート４５を両面テープ３０全体に堅固に貼付けることが可能である。
【００２８】
また、水切り材１０は図１に示した形状に限定されない。例えば図２（ｂ）に示されるように、水切り材１０の底面部１８が取付部１２を越えて突出していてもよい。また、図２（ｃ）に示されるように、水切り材１０が底面部１８を含んでいなくてもよい。さらに、図２（ｄ）に示されるように、前垂れ部１６と底面部１８との間に突起１９が形成されていなくてもよい。このような水切り材１０であっても前述したのと同様の効果が得られるのは明らかであろう。
【００２９】
また、図１等から分かるように、釘打ち領域３６は両面テープ３０の上方に位置するのが好ましい。この場合には、外気に含まれる湿気が施工後に土台６０と外装材８０との間に流入する可能性を低下することができる。ただし、本発明の第二の実施形態に係る水切り材の斜視図である図６に示されるように、両面テープ３０が釘打ち領域３６よりも上方に位置決めされていてもよい。この場合にも、前述したのと概ね同様な効果が得られることが分かるであろう。なお、釘打ち領域３６を取付部１２の中央部乃至下部に設けた場合には、水切り材１０を安定して土台６０に取付けることができる。
【００３０】
第二の実施形態においては、指標３５は両面テープ３０と釘打ち領域３６との間に配置される。また、釘７０を打付けるときに作業者の手が水切り材１０の雨水案内部１４に干渉するのを避けるために、釘打ち領域３６は図１に示した場合よりも幅広に設定するのが好ましい。
【００３１】
図７は本発明の第三の実施形態に係る水切り材の斜視図である。図７においては、両面テープ３０に対して幅狭の二つの両面テープ３０ａ、３０ｂが取付部１２の前方面に貼付けられている。図示されるように、離型紙３１ａを備えた第一の両面テープ３０ａは取付部１２の上方端部２２からわずかながら離間して配置されている。なお、図面には示さないものの、第一の両面テープ３０ａが上方端部２２に隣接して配置されていてもよい。
【００３２】
さらに、離型紙３１ｂを備えた第二の両面テープ３０ｂが第一の両面テープ３０ａの下方に離間して取付部１２の前方面に貼付けられている。図示されるように、これら両面テープ３０ａ、３０ｂは互いに平行であるのが好ましい。また、指標３５は第二の両面テープ３０ｂの下方においてのみ第二の両面テープ３０ｂに隣接して配置されている。そして、これら両面テープ３０ａ、３０ｂの間には、釘打ち領域３６が設けられている。
【００３３】
このような第二の実施形態においては、外気に含まれる湿気は、第二の両面テープ３０ｂおよび第一の両面テープ３０ａの両方を通過する必要がある。言い換えれば、第二の実施形態においては、外気に含まれる湿気が施工後に土台６０と外装材８０との間に流入する可能性がさらに少なくできる。なお、第二の実施形態において取付部１２の高さを高くした場合には、図１等に示したのと同一の幅の両面テープ３０を使用できることが分かるであろう。また、両面テープ３０ａ、３０ｂの幅が互いに異なっている場合であっても本発明の範囲に含まれるものとする。
【００３４】
図８（ａ）から図９（ｃ）のそれぞれは別の実施形態における取付部の正面図である。図８（ａ）においては、複数の正方形状の貫通孔３９が両面テープ３０に形成されている。これら貫通孔３９は両面テープ３０の中央領域において両面テープ３０に沿って形成されている。それぞれの貫通孔３９は釘７０の頭部の外形よりも十分に大きいものとする。なお、これら貫通孔３９は両面テープ３０にのみ形成されていて、水切り材１０の取付部１２には形成されていないことに注意されたい。
【００３５】
これら貫通孔３９のそれぞれは釘打ち領域３６としての役目を果たす。すなわち、作業者は貫通孔３９のそれぞれを介して釘７０を取付部１２に打付け、それにより、水切り材１０を土台６０に固定する。このため、図８（ａ）に示される実施形態においては、釘打ち領域３６を敢えて設ける必要はなく、両面テープ３０の上方に位置する釘打ち領域３６を省略することも可能である。言い換えれば、図８（ａ）に示される実施形態においては、取付部１２の寸法（高さ）が比較的小さい場合であっても、釘打ち領域３６を確保することが可能である。従って、水切り材１０の材料費を抑えることも可能である。なお、当然のことながら、全ての貫通孔３９に釘７０を打付ける必要はなく、釘７０を一つおきの貫通孔３９に打付けるようにしてもよい。
【００３６】
さらに、貫通孔３９は図８（ａ）に示される正方形状に限定されるものではなく、他の形状の貫通孔３９を採用した場合であっても前述したのと同様な効果が得られるのが分かるであろう。例えば貫通孔３９は、図８（ｂ）に示されるような円形であってもよく、図８（ｃ）に示されるような三角形状であってもよく、図９（ａ）に示されるように六角形状であってもよい。さらに他の形状、例えば他の多角形の貫通孔３９を採用することも可能である。
【００３７】
図８（ｃ）に示されるように三角形状の貫通孔３９を採用する場合には、隣接する貫通孔３９の向きを互いに１８０°だけ転向させるようにするのが好ましい。これにより、三角形の底辺に対応する両面テープ３０の一部分が局所的に脆弱になるのを避けることが可能である。
【００３８】
さらに、図９（ｂ）および図９（ｃ）にそれぞれ示されるように、長方形および長円形の貫通孔３９を採用することも可能である。この場合には、一つの貫通孔３９に複数の「釘７０を打付けることができる。また、図９（ｂ）および図９（ｃ）に示される場合には、貫通孔３９の数が少なくて済むので、貫通孔３９を比較的短時間で形成できるが分かるであろう。また、複数種類の形状の貫通孔３９が両面テープ３０に形成されている構成であっても、本発明の範囲に含まれるものとする。
【００３９】
また、本明細書においては単一の金属板からなる水切り材について説明したが、複数の部品を組み合わせて形成された水切り材であっても本発明の範囲に含まれるものとする。また、前述した実施形態のいくつかを適宜組み合わせることが本発明の範囲に含まれるのは、当業者であれば明らかであろう。
【図面の簡単な説明】
【００４０】
【図１】本発明の第一の実施形態に係る水切り材の斜視図である。
【図２】（ａ）水切り材の略側面図である。（ｂ）他の指標を備えた水切り材の略側面図である。（ｃ）別の指標を備えた水切り材の略側面図である。（ｄ）さらに別の指標を備えた水切り材の略側面図である。
【図３】（ａ）本発明の第一の実施形態に基づく水切り材の取付方法を説明するための第一の側面図である。（ｂ）本発明の第一の実施形態に基づく水切り材の取付方法を説明するための第二の側面図である。
【図４】（ａ）本発明の第一の実施形態に基づく水切り材の取付方法を説明するための第三の側面図である。（ｂ）本発明の第一の実施形態に基づく水切り材の取付方法を説明するための第四の側面図である。
【図５】（ａ）本発明の第一の実施形態に基づく水切り材の取付方法を説明するための第五の側面図である。（ｂ）本発明の第一の実施形態に基づく水切り材の取付方法を説明するための第六の側面図である。
【図６】本発明の第二の実施形態に係る水切り材の斜視図である。
【図７】本発明の第三の実施形態に係る水切り材の斜視図である。
【図８】（ａ）別の実施形態における取付部の第一の正面図である。（ｂ）別の実施形態における取付部の第二の正面図である。（ｃ）別の実施形態における取付部の第三の正面図である。
【図９】（ａ）別の実施形態における取付部の第四の正面図である。（ｂ）別の実施形態における取付部の第五の正面図である。（ｃ）別の実施形態における取付部の第六の正面図である。
【図１０】（ａ）従来技術における水切り材を土台に取付ける状態を示す第一の図である。（ｂ）従来技術における水切り材を土台に取付ける状態を示す第二の図である。
【図１１】（ａ）従来技術における水切り材を土台に取付ける状態を示す第三の図である。（ｂ）従来技術における水切り材を土台に取付ける状態を示す第四の図である。
【符号の説明】
【００４１】
１０    水切り材
１２    取付部
１４    雨水案内部
１６    前垂れ部
１８    底面部
１９    突起
２２    上方端部
２６    通気孔
２８    切断部
３０、３０ａ、３０ｂ    両面テープ
３１、３１ａ、３１ｂ    離型紙
３５    指標
３６    釘打ち領域
３９    貫通孔
４０    コンクリート基礎
４５    透湿シート
４５ａ    切断片
５０    基礎パッキン
６０    土台
７０    釘
８０    外装材
【図１】
0005247183.tif 000002
【図２】
0005247183.tif 000003
【図３】
0005247183.tif 000004
【図４】
0005247183.tif 000005
【図５】
0005247183.tif 000006
【図６】
0005247183.tif 000007
【図７】
0005247183.tif 000008
【図８】
0005247183.tif 000009
【図９】
0005247183.tif 000010
【図１０】
0005247183.tif 000011
【図１１】
0005247183.tif 000012